(57)【要約】【課題】生体内において流体を周方向へ均一に吐出させることができ、かつ、耐キンク性が向上された医療器具を提供する。【解決手段】長尺状の本体部を備える医療器具が挿通可能な挿通ルーメン２０と、螺旋状に伸びる螺旋部３１が形成され、流体Ｆが流通可能な流体ルーメン３０と、流体ルーメン３０の螺旋部３１における軸方向の異なる位置に少なくとも２つ以上設けられ、流体ルーメン３０を流通する流体Ｆを吐出させる吐出部３２と、を備える長尺部材を有する医療器具１である。【選択図】図１
2015231396.tif 000002
【特許請求の範囲】
【請求項１】
長尺状の本体部を備える医療器具が挿通可能な挿通ルーメンと、
螺旋状に伸びる螺旋部が形成され、流体が流通可能な流体ルーメンと、
前記流体ルーメンの螺旋部における軸方向の異なる位置に少なくとも２つ以上設けられ、前記流体ルーメンを流通する流体を吐出させる吐出部と、を備える長尺部材を有する医療器具。
【請求項２】
前記長尺部材の内部空間に配置され、前記挿通ルーメンと前記流体ルーメンとを区画する隔壁部材をさらに有する、請求項１に記載の医療器具。
【請求項３】
前記隔壁部材の剛性は、前記長尺部材の剛性よりも大きい、請求項２に記載の医療器具。
【請求項４】
前記長尺部材は、前記挿通ルーメンを形成する内腔を備える第１の長尺片と、前記流体ルーメンを形成する内腔を備える第２の長尺片と、を有する請求項１に記載の医療器具。
【請求項５】
前記第１の長尺片は、軸方向に延伸された直線形状を有し、
前記第２の長尺片は、前記第１の長尺片の軸周りに螺旋状に巻き付けられて配置される、請求項４に記載の医療器具。
【請求項６】
前記第１の長尺片と前記第２の長尺片とが軸方向において互いに螺旋状に巻き付けられて配置される、請求項４に記載の医療器具。
【請求項７】
前記第１の長尺片の剛性は、前記第２の長尺片において前記螺旋部が形成された部位の剛性よりも大きい、請求項５または６に記載の医療器具。
【請求項８】
前記螺旋部は、前記長尺部材の先端側の所定の範囲にのみ形成されている、請求項１〜７のいずれか１項に記載の医療器具。
【請求項９】
前記吐出部は、前記長尺部材の軸周りに互いに等間隔を空けて配置されている、請求項１〜８のいずれか１項に記載の医療器具。
【請求項１０】
前記吐出部は吐出孔によって構成され、前記長尺部材の先端側に設けられた吐出部の径は、前記長尺部材の基端側に位置する吐出部の径よりも大きく形成されている、請求項１〜９のいずれか１項に記載の医療器具。
【請求項１１】
前記長尺部材に設けられ、加圧媒体の注入および排出によって拡張・収縮変形可能なバルーンをさらに有する請求項１〜１０のいずれか１項に記載の医療器具。
【発明の詳細な説明】
【技術分野】
【０００１】
本発明は、生体内への流体の供給に用いられる医療器具に関する。
【背景技術】
【０００２】
生体内において各種の流体を供給するために用いられるイリゲーション（灌流）用のカテーテルデバイスが広く知られている。このようなカテーテルデバイスにおいて流体が流通するルーメンは、吐出孔以外の部分から流体が漏れないよう密閉して構成される。このため、例えば、カテーテルデバイスにガイドワイヤを挿通させる機能を付加する場合、ガイドワイヤを挿通させるルーメンと流体を流通させるルーメンとをそれぞれ別個に設ける必要がある。しかし、カテーテルデバイスの周囲の各方向においてバランスよく送液・吸引を行うことができるようにするためには、イリゲーションルーメンに設けられる吐出孔は周方向の異なる位置にそれぞれ配置されていることが好ましい。したがって、ガイドワイヤルーメンとの関係で、どのように吐出孔を配置するのがよいかといった点が課題となる。
【０００３】
このような課題に対し、例えば、下記特許文献１に記載されたようなカテーテルデバイスが存在する。このカテーテルデバイスには、ガイドワイヤ等が挿通可能であり、かつ、流体が流通可能なメインルーメンと、メインルーメンと同軸方向に伸びるイリゲーション用ルーメンと、バルーンを拡張するための流体が流通する２つの加圧媒体用のルーメンとが備えられている。また、メインルーメンには、周方向の１２０度おきに側孔が設けられているため、周方向にバランスよく造影剤などの放出が行える他、送液を行う際、一つの孔が詰まったとしても、他の孔を使用できるといった利点がある。
【先行技術文献】
【特許文献】
【０００４】
【特許文献１】特開平１０−２８７３８号公報
【発明の概要】
【発明が解決しようとする課題】
【０００５】
しかし、上記のように側孔を軸方向の異なる位置に複数設けてしまうと、カテーテルデバイスの軸方向における耐キンク性が低下してしまうため、生体内への導入時に撚れや折れなどの破損が生じ易くなるという問題がある。
【０００６】
そこで、本発明は、上記課題を解決するために発明されたものであり、生体内において流体を周方向へ均一に吐出させることができ、かつ、耐キンク性が向上された医療器具を提供することを目的とする。
【課題を解決するための手段】
【０００７】
上記目的は、下記（１）〜（１１）に記載のいずれかの発明により達成される。
【０００８】
（１）長尺状の本体部を備える医療器具が挿通可能な挿通ルーメンと、螺旋状に伸びる螺旋部が形成され、流体が流通可能な流体ルーメンと、前記流体ルーメンの螺旋部における軸方向の異なる位置に少なくとも２つ以上設けられ、前記流体ルーメンを流通する流体を吐出させる吐出部と、を備える長尺部材を有する医療器具。
【０００９】
（２）前記長尺部材の内部空間に配置され、前記挿通ルーメンと前記流体ルーメンとを区画する隔壁部材をさらに有する、上記（１）に記載の医療器具。
【００１０】
（３）前記隔壁部材の剛性は、前記長尺部材の剛性よりも大きい、上記（２）に記載の医療器具。
【００１１】
（４）前記長尺部材は、前記挿通ルーメンを形成する内腔を備える第１の長尺片と、前記流体ルーメンを形成する内腔を備える第２の長尺片と、を有する上記（１）に記載の医療器具。
【００１２】
（５）前記第１の長尺片は、軸方向に延伸された直線形状を有し、前記第２の長尺片は、前記第１の長尺片の軸周りに螺旋状に巻き付けられて配置される、上記（４）に記載の医療器具。
【００１３】
（６）前記第１の長尺片と前記第２の長尺片とが軸方向において互いに螺旋状に巻き付けられて配置される、上記（４）に記載の医療器具。
【００１４】
（７）前記第１の長尺片の剛性は、前記第２の長尺片において前記螺旋部が形成された部位の剛性よりも大きい、上記（５）または（６）に記載の医療器具。
【００１５】
（８）前記螺旋部は、前記長尺部材の先端側の所定の範囲にのみ形成されている、上記（１）〜（７）のいずれか１つに記載の医療器具。
【００１６】
（９）前記吐出部は、前記長尺部材の軸周りに互いに等間隔を空けて配置されている、上記（１）〜（８）のいずれか１つに記載の医療器具。
【００１７】
（１０）前記吐出部は吐出孔によって構成され、前記長尺部材の先端側に設けられた吐出部の径は、前記長尺部材の基端側に位置する吐出部の径よりも大きく形成されている、上記（１）〜（９）のいずれか１つに記載の医療器具。
【００１８】
（１１）前記長尺部材に設けられ、加圧媒体の注入および排出によって拡張・収縮変形可能なバルーンをさらに有する上記（１）〜（１０）のいずれか１つに記載の医療器具。
【発明の効果】
【００１９】
上記（１）に記載の発明によれば、流体ルーメンに螺旋部が形成され、当該螺旋部の軸方向の異なる位置に吐出部が少なくとも２つ以上設けられているため、生体内において流体を周方向へ均一に吐出させることができ、かつ、耐キンク性が向上された医療器具を提供することができる。
【００２０】
上記（２）に記載の発明によれば、長尺部材の内部空間に配置された隔壁部材によって挿通ルーメンと流体ルーメンとを区画するため、１本の長尺部材によって挿通ルーメンおよび流体ルーメンを形成することができ、医療器具を細径化できる。
【００２１】
上記（３）に記載の発明によれば、隔壁部材の剛性が、長尺部材の剛性よりも大きいため、医療器具全体としても剛性を高められ、医療器具の耐キンク性をより向上させることができる。
【００２２】
上記（４）に記載の発明によれば、挿通ルーメンが第１の長尺片によって形成され、流体ルーメンが第２の長尺片によって形成されるため、挿通ルーメン及び流体ルーメンを容易に形成することができる。
【００２３】
上記（５）に記載の発明によれば、第２の長尺片を、軸方向に延伸された直線形状を有する第１の長尺片の軸周りに螺旋状に巻き付けられて配置されるため、螺旋部を容易に形成することができる。
【００２４】
上記（６）に記載の発明によれば、第１の長尺片と第２の長尺片とが互いに螺旋状に巻き付けられて配置されるため、医療器具全体としても剛性を高められ、医療器具の耐キンク性をより向上させることができる。
【００２５】
上記（７）に記載の発明によれば、第１の長尺片の剛性は比較的高く設けられるため、医療器具の耐キンク性を向上させることができる。また、比較的剛性の低い螺旋部を比較的剛性の高い第１の長尺片の外周に巻き付けて螺旋部を形成するため、螺旋部を容易に形成することができる。
【００２６】
上記（８）に記載の発明によれば、長尺部材の先端側の所定の範囲にのみ螺旋部が形成されるため、螺旋部を容易に形成できる。また、最低限必要な範囲にのみ螺旋部を形成すればよく、医療器具の製造コストを低下できる。
【００２７】
上記（９）に記載の発明によれば、吐出部が軸周りに等間隔に配置されているため、生体内において流体を長尺部材の周方向へ均一に吐出させることができる。
【００２８】
上記（１０）に記載の発明によれば、先端側に設けられた吐出部の径が基端側に設けられた吐出部の径よりも大きく形成するため、各吐出部からの吐出量を同じにすることができ、生体内において流体を周方向へ均一に吐出させることができる。
【００２９】
上記（１１）に記載の発明によれば、拡張・収縮変形可能なバルーンをさらに有するため、狭窄部を有する生体内にも、バルーンによって狭窄部を拡張することで、流体を供給可能であり、バルーンカテーテル一体型の医療器具を提供することができる。
【図面の簡単な説明】
【００３０】
【図１】本発明の第１実施形態に係る医療器具を示す斜視図である。
【図２】本発明の第１実施形態に係る医療器具を示す側面図である。
【図３】図２の３−３線に沿う断面図である。
【図４】本発明の第１実施形態において、生体内に流体を供給する様子を示す図である。
【図５】本発明の第２実施形態に係る医療器具を示す斜視図である。
【図６】本発明の第２実施形態において、生体内に流体を供給する様子を示す図である。
【図７】本発明の第３実施形態に係る医療器具を示す斜視図である。
【図８】本発明の第３実施形態において、生体内に流体を供給する様子を示す図である。
【図９】（改変例１）に係る医療器具を示す側面断面図である。
【図１０】（改変例２）に係る医療器具を示す側面図である。
【発明を実施するための形態】
【００３１】
＜第１実施形態＞
以下、図面を参照して、本発明の実施の形態を説明する。なお、図面の寸法比率は、説明の都合上、誇張されて実際の比率とは異なる場合がある。また、以下の説明において、本発明の第１実施形態に係る医療器具１の手元操作側を「基端側」、生体管腔内へ挿通される側を「先端側」と称する。
【００３２】
本発明の第１実施形態に係る医療器具１の構成について説明する。
【００３３】
図１は、本発明の第１実施形態に係る医療器具１を示す斜視図である。図２は、本発明の第１実施形態に係る医療器具１を示す側面図である。図３は、図２の３−３線に沿う断面図である。
【００３４】
本発明の第１実施形態に係る医療器具１は、概説すると、図１〜３に示すように、長尺状の本体部を備える医療器具（不図示）が挿通可能な挿通ルーメン２０と、螺旋状に伸びる第２螺旋部（螺旋部）３１が形成され、流体Ｆが流通可能な流体ルーメン３０と、流体ルーメン３０の第２螺旋部３１における軸方向の異なる位置に６つ設けられ、流体ルーメン３０を流通する流体Ｆを吐出させる吐出部３２と、を備える長尺部材１０を有する。なお、図３では理解の容易のため、吐出部３２は省略する。以下、詳述する。
【００３５】
医療器具１は、図１〜３に示すように、長尺状の本体部を備える医療器具（不図示）が挿通可能な挿通ルーメン２０と、螺旋状に伸びる第２螺旋部３１が形成され、流体が流通可能な流体ルーメン３０と、流体ルーメン３０の第２螺旋部３１における軸方向の異なる位置に６つ設けられ、流体ルーメン３０を流通する流体Ｆを吐出させる吐出部３２と、を備える長尺部材１０及び長尺部材１０の内部空間に配置され、挿通ルーメン２０と流体ルーメン３０とを区画する隔壁部材４０を有する。
【００３６】
長尺部材１０は、内部に挿通ルーメン２０および流体ルーメン３０を形成する。長尺部材１０を構成する材料は、例えば、生体適合性に優れた、ＥＴＦＥ（テトラフルオロ  ４  エチレンエチレン共重合体）、ＰＴＦＥ（ポリテトラフルオロエチレン）等のフッ素樹脂、ＰＥ（ポリエチレン）、ＰＰ（ポリプロピレン）等のポリオレフィン、ポリアミド、ポリエステル、ポリウレタン等の熱可塑性樹脂である。
【００３７】
挿通ルーメン２０には、長尺状の本体部を備える医療器具が挿通される。挿通ルーメン２０は、長尺部材１０の内周面１０Ｓと隔壁部材４０とによって構成される第１の空間Ｓ１によって形成される。挿通ルーメン２０は、長尺部材１０の先端側の所定の範囲にのみ形成されている第１螺旋部２１を有する。
【００３８】
第１螺旋部２１は、先端側の所定の範囲が螺旋状に形成された隔壁部材４０によって構成される。よって、第１螺旋部２１は長尺部材１０の先端側の所定の範囲にのみ形成される。
【００３９】
流体ルーメン３０は、流体Ｆが流通する。流体ルーメン３０は、長尺部材１０の内表面１０Ｓと隔壁部材４０とによって構成される第２の空間Ｓ２によって形成される。第２の空間Ｓ２は、長尺部材１０の内部空間において、隔壁部材４０を介して、第１の空間Ｓ１の反対側に設けられる。また、流体ルーメン３０は、長尺部材１０の先端側の所定の範囲にのみ形成されている第２螺旋部３１と、当該第２螺旋部３１における軸方向の異なる位置に６つ設けられ、流体ルーメン３０を流通する流体Ｆを吐出させる吐出部３２と、を有する。
【００４０】
第２螺旋部３１は、応力の集中を分散させることにより、医療器具１の耐キンク性を向上させるために設けられている。第２螺旋部３１は、先端側の所定の範囲が螺旋状に形成された隔壁部材４０によって構成される。よって、第２螺旋部３１は長尺部材１０の先端側の所定の範囲にのみ形成される。
【００４１】
吐出部３２は、吐出孔によって構成され、流体ルーメン３０を流通する流体Ｆを吐出させる。吐出部３２は、長尺部材１０の軸周りおよび軸方向に互いに等間隔を開けて６つ配置されている。すなわち、吐出部３２は、基端側から第１吐出部３２Ａ、第２吐出部３２Ｂ、第３吐出部３２Ｃ、第４吐出部３２Ｄ、第５吐出部３２Ｅ、第６吐出部３２Ｆから構成され、第１吐出部３２Ａ〜第６吐出部３２Ｆは、それぞれ長尺部材１０の軸周りに６０度間隔で、長尺部材１０の軸方向に１ｍｍ間隔で設けられている。なお、軸方向の間隔は１ｍｍに限られない。また、長尺部材１０の先端側に設けられた吐出部３２の径は、長尺部材１０の基端側に設けられた吐出部３２の径よりも大きく形成されている。すなわち、第１吐出部３２Ａから第６吐出部３２Ｆにかけて順次、径が拡大されて構成される。なお、第１吐出部３２Ａ〜第６吐出部３２Ｆが全て同じ径を有していてもよい。
【００４２】
隔壁部材４０は、長尺部材１０の内部空間に配置され、挿通ルーメン２０と流体ルーメン３０とを区画する。隔壁部材４０は、長尺部材１０の先端側の所定の範囲にのみ螺旋状に形成されており、当該先端側の所定の範囲より基端側の範囲は、平面状に形成されている。また、隔壁部材４０は、長尺部材１０の剛性よりも大きい剛性を有している。この構成によれば、医療器具１全体としても剛性を高められ、医療器具１の耐キンク性を向上させることができる。隔壁部材４０を構成する材料は、例えばニッケルチタン合金やステンレス鋼等の金属材料であるが、これに限られずプラスチック等であってもよい。
【００４３】
流体Ｆは、生体内へ供給されて、生体内の洗浄などを行う。流体Ｆは例えば生理食塩水であるが、これに限られない。
【００４４】
次に、図４を参照して、本発明の第１実施形態に係る医療器具１を使用して生体内に流体Ｆを供給する方法を説明する。
【００４５】
術者は、流体Ｆが貯蔵される流体貯蔵部Ａから、当該流体貯蔵部Ａと流体ルーメン３０とを液密・気密に連結した公知のチューブＴを介して、流体ルーメン３０内に流体Ｆを供給する。流体ルーメン３０内に供給された流体Ｆは、基端側から先端側へ移動し、先端側に設けられた吐出部３２から、第１吐出部３２Ａ、第２吐出部３２Ｂ、第３吐出部３２Ｃ、第４吐出部３２Ｄ、第５吐出部３２Ｅ、第６吐出部３２Ｆの順で吐出される。ここで、第１吐出部３２Ａから第６吐出部３２Ｆにかけて順次、径が拡大されて構成されるため、基端側に位置する吐出部３２から吐出する吐出量と先端側に位置する吐出部３２から吐出する吐出量とを同じにすることができ、生体内において流体Ｆを周方向へ均一に吐出させることができる。
【００４６】
以上のように、本発明の第１実施形態によれば、流体ルーメン３０に第２螺旋部３１が形成され、当該第２螺旋部３１の軸方向の異なる位置に６つの吐出部３２Ａ〜３２Ｆが設けられているため、生体内において流体Ｆを周方向へ均一に吐出させることができ、かつ、耐キンク性が向上された医療器具１を提供することができる。
【００４７】
また、長尺部材１０の内部空間に配置され、挿通ルーメン２０と流体ルーメン３０とを区画する隔壁部材４０をさらに有するため、１本の長尺部材１０によって挿通ルーメン２０および流体ルーメン３０を形成することができ、医療器具１を細径化できる。
【００４８】
また、隔壁部材４０の剛性は、長尺部材１０の剛性よりも大きいため、医療器具１全体としても剛性を高められ、医療器具１の耐キンク性をより向上させることができる。
【００４９】
また、第２螺旋部３１は、長尺部材１０の先端側の所定の範囲にのみ形成されているため、第２螺旋部３１を容易に形成できる。また、最低限必要な範囲にのみ第２螺旋部３１を形成すればよく、医療器具１の製造コストを低下できる。
【００５０】
また、吐出部３２は、長尺部材１０の軸周りに互いに等間隔を空けて配置されているため、生体内において流体Ｆを長尺部材１０の周方向へ均一に吐出させることができる。
【００５１】
また、吐出部３２は吐出孔によって構成され、長尺部材１０の先端側に設けられた吐出部３２の径は、長尺部材１０の基端側に設けられた吐出部３２の径よりも大きく形成されている。このため、各吐出部３２からの吐出量を同じにすることができ、生体内において流体Ｆを周方向へ均一に吐出させることができる。
【００５２】
また、第２螺旋部３１は螺旋状に形成されるため、流体Ｆに周方向の力が付与され、吐出力が向上する。
【００５３】
＜第２実施形態＞
次に、本発明の第２実施形態を説明する。第１実施形態と共通する部分は説明を省略し、第２実施形態のみに特徴のある箇所について説明する。
【００５４】
図５は、本発明の第２実施形態に係る医療器具２を示す斜視図である。
【００５５】
本発明の第２実施形態に係る医療器具２は、図５に示すように、長尺状の本体部を備える医療器具（不図示）が挿通可能な挿通ルーメン２２０Ｌと、螺旋状に伸びる螺旋部２３１が形成され、流体Ｆが流通可能な流体ルーメン２３０Ｌと、流体ルーメン２３０Ｌの螺旋部２３１における軸方向の異なる位置に６つ設けられ、流体ルーメン２３０Ｌを流通する流体Ｆを吐出させる吐出部２３２と、を備える長尺部材２１０を有する。
【００５６】
長尺部材２１０は、挿通ルーメン２２０Ｌを形成する内腔を備える第１の長尺片２２０と、流体ルーメン２３０Ｌを形成する内腔を備える第２の長尺片２３０と、を有する。
【００５７】
第１の長尺片２２０は、内部に挿通ルーメン２２０Ｌを形成する。また、第１の長尺片２２０は、軸方向に延伸された直線形状を有する。また、第１の長尺片２２０の剛性は、第２の長尺片２３０において螺旋部２３１が形成された部位の剛性よりも大きい。この構成によれば、第１の長尺片２２０の剛性が比較的高く設けられるため、医療器具２の耐キンク性を向上させることができる。また、比較的剛性の低い螺旋部２３１を比較的剛性の高い第１の長尺片２２０の外周に巻き付けて螺旋部２３１を形成するため、螺旋部２３１を容易に形成することができる。なお、第１の長尺片２２０の剛性は、第２の長尺片２３０全体の剛性より大きくてもよい。第１の長尺片２２０を構成する材料は、例えばプラスチックであるが、これに限られずニッケルチタン合金やステンレス鋼等の金属材料であってもよい。
【００５８】
第２の長尺片２３０は、内部に流体ルーメン２３０Ｌを形成する。また、第２の長尺片２３０は、長尺部材２１０の先端側の所定の範囲にのみ形成されている螺旋部２３１を有する。第２の長尺片２３０を構成する材料は、例えば、生体適合性に優れた、ＥＴＦＥ（テトラフルオロ  ４  エチレンエチレン共重合体）、ＰＴＦＥ（ポリテトラフルオロエチレン）等のフッ素樹脂、ＰＥ（ポリエチレン）、ＰＰ（ポリプロピレン）等のポリオレフィン、ポリアミド、ポリエステル、ポリウレタン等の熱可塑性樹脂である。
【００５９】
螺旋部２３１は、医療器具２の耐キンク性を向上させるために設けられている。螺旋部２３１は、第２の長尺片２３０が第１の長尺片２２０の軸周りに螺旋状に巻き付けられて配置されることによって形成される。なお図示しないが、螺旋部２３１を含む医療器具２の外側は別途シース等で覆われていても良い。
【００６０】
吐出部２３２は、吐出孔によって構成され、流体ルーメン２３０Ｌを流通する流体Ｆを吐出させる。吐出部２３２は、螺旋部２３１の外周に設けられ、長尺部材２１０の軸周りおよび軸方向に互いに等間隔を空けて６つ配置されている。
【００６１】
次に、図６を参照して、本発明の第２実施形態に係る医療器具２を使用して生体内に流体Ｆを供給する方法を説明する。
【００６２】
術者は、流体Ｆが貯蔵される流体貯蔵部Ａから、当該流体貯蔵部Ａと流体ルーメン２３０Ｌとを液密・気密に連結した公知のチューブＴを介して、流体ルーメン２３０Ｌ内に流体Ｆを供給する。流体ルーメン２３０Ｌ内に供給された流体Ｆは、基端側から先端側へ移動し、先端側に設けられた吐出部２３２から、第１吐出部２３２Ａ、第２吐出部２３２Ｂ、第３吐出部２３２Ｃ、第４吐出部２３２Ｄ、第５吐出部２３２Ｅ、第６吐出部２３２Ｆの順で吐出される。
【００６３】
以上のように、本発明の第２実施形態によれば、長尺部材２１０は、挿通ルーメン２２０Ｌを形成する内腔を備える第１の長尺片２２０と、流体ルーメン２３０Ｌを形成する内腔を備える第２の長尺片２３０と、を有するため、挿通ルーメン２２０Ｌが第１の長尺片２２０によって形成され、流体ルーメン２３０Ｌが第２の長尺片２３０によって形成され、挿通ルーメン２２０Ｌ及び流体ルーメン２３０Ｌを容易に形成することができる。
【００６４】
また、第１の長尺片２２０は、軸方向に延伸された直線形状を有し、第２の長尺片２３０は、第１の長尺片２２０の軸周りに螺旋状に巻き付けられて配置されるため、螺旋部２３１を容易に形成することができる。
【００６５】
また、第１の長尺片２２０の剛性は、第２の長尺片２３０において螺旋部２３１が形成された部位の剛性よりも大きいため、第１の長尺片２２０の剛性は比較的高く設けられ、医療器具２の耐キンク性を向上させることができる。また、比較的剛性の低い螺旋部２３１を比較的剛性の高い第１の長尺片の外周に巻き付けて螺旋部２３１を形成するため、螺旋部２３１を容易に形成することができる。
【００６６】
また、第１の長尺片２２０が直線形状であることにより、挿通ルーメン２２０Ｌに医療機器等が挿通し易くなり、医療機器の操作性が向上する。
【００６７】
＜第３実施形態＞
次に、本発明の第３実施形態を説明する。第１、２実施形態と共通する部分は省略し、第３実施形態のみに特徴のある箇所について説明する。
【００６８】
図７は、本発明の第３実施形態に係る医療器具３を示す斜視図である。
【００６９】
本発明の第３実施形態に係る医療器具３は、図７に示すように、長尺状の本体部を備える医療器具（不図示）が挿通可能な挿通ルーメン３２０Ｌと、螺旋状に伸びる第２螺旋部（螺旋部）３３１が形成され、流体Ｆが流通可能な流体ルーメン３３０Ｌと、流体ルーメン３３０Ｌの第２螺旋部３３１における軸方向の異なる位置に６つ設けられ、流体ルーメン３３０Ｌを流通する流体Ｆを吐出させる吐出部３３２と、を備える長尺部材３１０を有する。
【００７０】
長尺部材３１０は、挿通ルーメン３２０Ｌを形成する内腔を備える第１の長尺片３２０と、流体ルーメン３３０Ｌを形成する内腔を備える第２の長尺片３３０と、を有する。
【００７１】
第１の長尺片３２０は、内部に挿通ルーメン３２０Ｌを形成する。また、第１の長尺片３２０は、長尺部材３１０の先端側の所定の範囲にのみ形成されている第１螺旋部３２１を有する。
【００７２】
第１螺旋部３２１は、第１の長尺片３２０と第２の長尺片３３０とが軸方向において互いに螺旋状に巻き付けられて配置されることによって形成される。
【００７３】
第２の長尺片３３０は、内部に流体ルーメン３３０Ｌを形成する。また、第２の長尺片３３０は、長尺部材３１０の先端側の所定の範囲にのみ形成されている第２螺旋部３３１を有する。
【００７４】
第２螺旋部３３１は、医療器具３の耐キンク性を向上させるために設けられている。第２螺旋部３３１は、第１の長尺片３２０と第２の長尺片３３０とが軸方向において互いに螺旋状に巻き付けられて配置されることによって形成される。なお図示しないが、第１螺旋部３２１および第２螺旋部３３１を含む医療器具３の外側は別途シース等で覆われていても良い。
【００７５】
次に、図８を参照して、本発明の第３実施形態に係る医療器具３を使用して生体内に流体Ｆを供給する方法を説明する。
【００７６】
術者は、流体Ｆが貯蔵される流体貯蔵部Ａから、当該流体貯蔵部Ａと流体ルーメン３３０Ｌとを液密・気密に連結した公知のチューブＴを介して、流体ルーメン３３０Ｌ内に流体Ｆを供給する。流体ルーメン３３０Ｌ内に供給された流体Ｆは、基端側から先端側へ移動し、先端側に設けられた吐出部３３２から、第１吐出部３３２Ａ、第２吐出部３３２Ｂ、第３吐出部３３２Ｃ、第４吐出部３３２Ｄ、第５吐出部３３２Ｅ、第６吐出部３３２Ｆの順で吐出される。
【００７７】
以上のように、本発明の第３実施形態によれば、第１の長尺片３２０と第２の長尺片３３０とが軸方向において互いに螺旋状に巻き付けられて配置されるため、医療器具３全体としても剛性を高められ、医療器具３の耐キンク性をより向上させることができる。
【００７８】
以下、上述した実施形態の改変例を例示する。
【００７９】
（改変例１）
図９は、（改変例１）に係る医療器具４を示す側面断面図である。図９では、理解の容易のため吐出部は省略している。図９に示すように、（改変例１）に係る医療器具４は、本発明の第１実施形態の医療器具１に対して、長尺部材４１０の外周に固定され、基端側から加圧媒体Ｐの注入および排出によって拡張・収縮変形可能なバルーン４５０と、加圧媒体ＰをバルーンＢの内部４５０Ｓに供給するバルーンルーメン４６０と、をさらに有する。この構成によれば、流体Ｆを供給する箇所が狭窄部を有する生体内であっても、加圧媒体ＰをバルーンＢに供給してバルーンＢを拡張させて狭窄部を拡張することで、生体内に流体Ｆを供給できるため、バルーンカテーテル一体型の医療器具４を提供することができる。なお、（改変例１）は上述した第２〜３実施形態にも適用可能である。
【００８０】
（改変例２）
図１０は、（改変例２）に係る医療器具５を示す側面図である。図１０では、理解の容易のため吐出部は省略している。図１０に示すように、（改変例２）に係る医療器具５は、本発明の第１実施形態の医療器具１に対して、挿通ルーメン５２０内に、先端側に加圧媒体の注入および排出によって拡張・収縮変形可能なバルーンＢを備えたバルーンカテーテルＫが挿通され、長尺部材５１０の基端側に当該バルーンカテーテルＫを挿入するための貫通孔５１０Ａが設けられている。この構成によれば、流体Ｆを供給する箇所が狭窄部を有する生体内であっても、加圧媒体をバルーンＢに供給してバルーンＢを拡張させて狭窄部を拡張することで、生体内に流体Ｆを供給できるため、バルーンカテーテルＫ一体型の医療器具５を提供することができる。なお、（改変例２）は上述した第２〜３実施形態にも適用可能である。
【００８１】
なお、本発明は上述した実施の形態に限定されるものではなく、特許請求の範囲内で種々改変することができる。
【００８２】
例えば、本発明の第１〜３実施形態では、長尺部材１０の軸周りおよび軸方向に互いに等間隔を空けて６つの吐出部３２、２３２、３３２が設けられていた。しかしながら、吐出部３２、２３２、３３２は、長尺部材１０の軸周りおよび軸方向に互いに等間隔を空けて、少なくとも２つ以上設けられていればよい。また、設けられる間隔は等間隔でなくてもよい。
【００８３】
また、本発明の第１〜３実施形態では、流体ルーメン３０、２３０Ｌ、３３０Ｌの螺旋部（第２螺旋部）３１、２３１、３３１は、周方向に１周分のみ設けられていた。しかしながら、複数周分設けられてもよい。この構成によれば、耐キンク性をより向上させることができる。また、流体ルーメン３０、２３０Ｌ、３３０Ｌの螺旋部（第２螺旋部）３１、２３１、３３１が複数周設けられているとき、螺旋部（第２螺旋部）３１、２３１、３３１の周期がそれぞれの螺旋部（第２螺旋部）３１、２３１、３３１で異なっていてもよい。この構成によれば、螺旋部（第２螺旋部）３１、２３１、３３１を形成する位置で、剛性を調整できる。さらに、流体ルーメン３０、２３０Ｌ、３３０Ｌの螺旋部（第２螺旋部）３１、２３１、３３１に沿って吐出部３２、２３２、３３２を複数周分設けてもよい。この構成によれば、より多くの流体Ｆを供給することができる。
【符号の説明】
【００８４】
１、２、３、４、５    医療器具、
１０、２１０、３１０、４１０    長尺部材、
２０、２２０Ｌ、３２０Ｌ、５２０    挿通ルーメン、
３０、２３０Ｌ、３３０Ｌ    流体ルーメン、
３１、２３１、３３１    螺旋部（第２螺旋部）、
３２、２３２、３３２    吐出部、
４０    隔壁部材、
２２０、３２０    第１の長尺片、
２３０、３３０    第２の長尺片、
Ｂ    バルーン、
Ｆ    流体。
【図１】
2015231396.tif 000003
【図２】
2015231396.tif 000004
【図３】
2015231396.tif 000005
【図４】
2015231396.tif 000006
【図５】
2015231396.tif 000007
【図６】
2015231396.tif 000008
【図７】
2015231396.tif 000009
【図８】
2015231396.tif 000010
【図９】
2015231396.tif 000011
【図１０】
2015231396.tif 000012